(57)【要約】  本発明は、無線基地局（２）と無線端末（３）との間の通信のスループット向上を図ることを目的とする。そのため、本発明の無線基地局（２）は、選択する送信方式の変わらない範囲に属する信号品質情報に対応する複数の無線端末（３）のうち、前記範囲の下限を超え、かつ、前記範囲の上限よりも小さい第１の閾値未満の信号品質情報に対応する第１の無線端末（３）の送信電力を前記送信方式の変わらない範囲で減少制御し、前記第１の閾値以上の信号品質情報に対応する第２の無線端末（３）の送信電力をより伝送効率の良い送信方式が選択されるように増加制御する。
2009019751.tif 000002
【特許請求の範囲】
【請求項１】
無線端末との間の信号品質情報に応じて、前記無線端末に対して伝送効率の異なる複数の送信方式のいずれかを選択して前記無線端末への送信を行なう無線基地局の送信電力制御方法であって、
前記無線基地局は、
複数の無線端末との間の信号品質情報を取得し、
選択する送信方式の変わらない範囲に属する前記信号品質情報に対応する複数の無線端末のうち、前記範囲の下限を超え、かつ、前記範囲の上限よりも小さい第１の閾値未満の信号品質情報に対応する第１の無線端末の送信電力を前記送信方式の変わらない範囲で減少制御し、前記第１の閾値以上の信号品質情報に対応する第２の無線端末の送信電力をより伝送効率の良い送信方式が選択されるように増加制御する、ことを特徴とする無線基地局の送信電力制御方法。
【請求項２】
前記無線基地局は、
前記送信方式の変わらない範囲の下限を超え、かつ、前記第１の閾値よりも小さい第２の閾値と前記第１の閾値との間の信号品質情報に対応する前記第１の無線端末の送信電力を前記減少制御することを特徴とする、請求項１記載の無線基地局の送信電力制御方法。
【請求項３】
前記無線基地局は、
あるシンボル時間における前記第１の無線端末宛の送信信号と前記第２の無線端末宛の送信信号とを周波数多重して送信することを特徴とする、請求項２記載の無線基地局の送信電力制御方法。
【請求項４】
前記無線基地局は、
あるシンボル時間における周波数軸方向の送信電力の和が、許容される送信電力を超えない範囲で、前記増加制御を行なうことを特徴とする、請求項２又は３に記載の無線基地局の送信電力制御方法。
【請求項５】
前記無線基地局は、
複数の前記第２の無線端末についての前記増加制御による送信電力の増加量の和を、複数の前記第１の無線端末についての前記減少制御による送信電力の減少量の和以下に制御することを特徴とする、請求項１〜４のいずれか１項に記載の無線基地局の送信電力制御方法。
【請求項６】
前記信号品質情報は、前記無線端末において測定され通知される受信信号品質情報であることを特徴とする、請求項１〜５のいずれか１項に記載の無線基地局の送信電力制御方法。
【請求項７】
前記信号品質情報は、前記無線端末からの受信信号を基に測定した受信信号品質情報であることを特徴とする、請求項１〜５のいずれか１項に記載の無線基地局の送信電力制御方法。
【請求項８】
無線端末との間の信号品質情報に応じて、前記無線端末に対して伝送効率の異なる複数の送信方式のいずれかを選択して前記無線端末への送信を行なう無線基地局であって、
複数の無線端末との間の信号品質情報を取得する信号品質情報取得手段と、
選択する送信方式の変わらない範囲に属する前記信号品質情報に対応する複数の無線端末のうち、前記範囲の下限を超え、かつ、前記範囲の上限よりも小さい第１の閾値未満の信号品質情報に対応する第１の無線端末の送信電力を前記送信方式の変わらない範囲で減少制御し、前記第１の閾値以上の信号品質情報に対応する第２の無線端末の送信電力をより伝送効率の良い送信方式が選択されるように増加制御する制御手段と、
をそなえたことを特徴とする、無線基地局。
【請求項９】
前記制御手段は、
前記送信方式の変わらない範囲の下限を超え、かつ、前記第１の閾値よりも小さい第２の閾値と前記第１の閾値との間の信号品質情報に対応する前記第１の無線端末の送信電力を前記減少制御することを特徴とする、請求項８記載の無線基地局。
【請求項１０】
前記制御手段は、
あるシンボル時間における前記第１の無線端末宛の送信信号と前記第２の無線端末宛の送信信号とを周波数多重して送信することを特徴とする、請求項９記載の無線基地局。
【請求項１１】
前記制御手段は、
あるシンボル時間における周波数軸方向の送信電力の和が、許容される送信電力を超えない範囲で、前記増加制御を行なうことを特徴とする、請求項９又は１０に記載の無線基地局。
【請求項１２】
前記制御手段は、
複数の前記第２の無線端末についての前記増加制御による送信電力の増加量の和を、複数の前記第１の無線端末についての前記減少制御による送信電力の減少量の和以下に制御することを特徴とする、請求項８〜１１のいずれか１項に記載の無線基地局。
【請求項１３】
無線端末との間の信号品質情報が良い品質を示すほど良い送信方式を選択して前記無線端末への送信を行なう無線基地局の送信電力制御方法であって、
前記無線基地局は、
複数の無線端末との間の信号品質情報を取得し、
選択される送信方式が変化しない範囲の信号品質情報に対応する無線端末のうち、当該信号品質情報の前記範囲での位置に応じて、少なくともいずれかの無線端末への送信方式が前記信号品質情報によって選択される送信方式よりも良い送信方式となるよう、前記各無線端末への送信電力の配分を制御する、
ことを特徴とする、無線基地局の送信電力制御方法。
【請求項１４】
受信品質情報が所定の範囲内に収まる複数の無線端末のうち、少なくとも第１の無線端末については送信電力を増大させて前記所定の範囲を超える受信品質となるようにして、第１の送信方式でデータの送信を行ない、該複数の無線端末のうち、少なくとも第２の無線端末については送信電力を減少させて前記所定の範囲の受信品質となるようにして、前記第１の送信方式より低速な第２の送信方式でデータの送信を行なう送信部を備え、
前記第１の送信方式による送信期間と、前記第２の送信方式による送信期間とが少なくとも重複する時間帯を設けた、
ことを特徴とする、無線基地局。
【発明の詳細な説明】
【技術分野】
【０００１】
本発明は、無線基地局の送信電力制御方法及び無線基地局に関する。本発明は、例えば、無線区間の信号品質に応じて、無線端末と無線基地局との間の通信に用いる変調方式や誤り訂正符号化率などを変更するような無線通信システムに用いると好適である。
【背景技術】
【０００２】
無線基地局（ＢＳ：Base Station）と無線端末（ＭＳ：Mobile Station）とをそなえた無線通信システムでは、ＭＳは、前記ＢＳを介して他のＭＳや有線端末、サーバ等と通信を行なうことができる。
上記無線通信システムの１つとして、近年、開発が進められているＷｉＭＡＸ（Worldwide
Interoperability for Microwave Access）と呼ばれる方式に準拠したＷｉＭＡＸシステムがある。このＷｉＭＡＸシステムでは、通信効率の向上を図るために、直交周波数分割多元接続（ＯＦＤＭＡ：Orthogonal Frequency Division Multiplexing Access）方式及び適応変調方式（ＡＭＣ：Adaptive Modulation and Coding）が採用される。【０００３】
ＷｉＭＡＸシステムに用いられる無線フレームは、ＢＳからＭＳへの方向であるダウンリンク（ＤＬ）のサブフレーム（ＤＬサブフレーム）と、ＭＳからＢＳへの方向であるアップリンク（ＵＬ）のサブフレーム（ＵＬサブフレーム）とが時間多重される。
ＤＬサブフレームは、さらに、時間軸（シンボル時間）方向と周波数軸（サブチャネル周波数）方向の２次元領域において、プリアンブル、フレームコントロールヘッダ（ＦＣＨ）、ＤＬのマップ情報（ＤＬマップ）、ＵＬのマップ情報（ＵＬマップ）（以下、これらをヘッダ情報ということがある）、１以上のＤＬバーストが多重され、ＵＬサブフレームには、１以上のＵＬバーストが多重される。なお、「バースト」とは、サブチャネル周波数及び時間（送信タイミング）で特定される無線リソース（通信領域）を意味する。【０００４】
ここで、プリアンブルは、フレーム同期情報が挿入される領域（フィールド）であり、ＦＣＨは、マップ情報の大きさや位置等のマップ情報を定義する情報が挿入される領域である。また、マップ情報には、バーストで送信される通信コネクションのＩＤ（ＣＩＤ）、無線フレームにおける当該コネクションのバーストの配置位置（バースト位置）、バーストの大きさ（バーストサイズ）、バーストの変調方式（ＱＰＳＫ、１６ＱＡＭ、６４ＱＡＭ等）や符号化率、送信電力制御情報（ブーストアップ・ダウン）等の情報が含まれる。【０００５】
つまり、マップ情報は、ＭＳが受信及び送信すべき無線フレームの領域（受信領域及び送信領域）を指定する（割り当てる）情報（バースト割当情報）として位置付けることができる。なお、前記バースト位置は、無線フレームの先頭シンボルからのシンボルオフセット及びサブチャネルオフセットで指定することができ、前記バーストサイズは、シンボル数及びサブチャネル数で指定することができる。【０００６】
したがって、ＭＳは、上記プリアンブルを検出することでＤＬ及びＵＬの無線フレーム同期を確立し、ＤＬマップで指定されたＤＬバースト領域をＤＬマップで指定された変調方式、符号化率等に対応する復調方式、復号化率で復調、復号処理することで、自ＭＳ宛のＤＬバーストを選択的に受信処理する一方、ＵＬマップで指定されるＵＬバースト領域でＢＳへのデータ送信を行なうことができる。【０００７】
また、ＭＳは、ＢＳとの無線区間における通信品質（受信品質）を測定し、その測定結果（受信品質情報、例えばＳＩＮＲ：Signal to Interference and Noise Ratioなど）を定期あるいは不定期にＢＳ宛に報告することができ、ＢＳは、当該ＭＳからの前記受信品質情報に基づき、前記バースト毎に変調方式及び符号化率を適応的に制御することができる。これをＡＭＣ（Adaptive Modulation and Coding）と呼ぶ。【０００８】
なお、ＯＦＤＭＡシステムにおける電力割振りの方法として、各無線ユニットのＣＱＩに応答して各無線ユニットに関する送信電力レベルを選択する方法が下記特許文献１に記載されている。
また、下記特許文献２には、複数のサブキャリアを使用するマルチユーザ電気通信システムにおいて、少なくとも１つのユーザに割り当てられるサブチャネルにサブキャリアを割り当てる方法として、サブチャネルごとに品質を検出し、この品質レベルに応じてサブキャリアにサブチャネルを割り当てる方法が記載されている。
【特許文献１】特開２００４−１２９２４１号公報
【特許文献２】特開２００６−５０６１５号公報
【発明の開示】
【発明が解決しようとする課題】
【０００９】
図７及び図８を用いて前記ＡＭＣ制御について説明する。図７は各変調方式及び符号化率でのＤＬのスループット特性を示す図であり、図８はＡＭＣ制御の一例を説明する図である。
図７に示すように、ＳＩＮＲを横軸、スループットを縦軸とすると、ＳＩＮＲとスループットとの関係は階段状の関係にあり、ＭＳとＢＳとの無線区間の通信環境（ＭＳでの前記受信品質情報）に応じて、好適な変調方式及び符号化率が存在する。例えば、図８に示すように、ＭＳからの受信品質情報であるＳＩＮＲ（ｄＢ）が、Ａ以上かつＢ未満の値である場合、ＢＳは、図７中で記号ａのスループット（ｋｂｐｓ）特性を示す１６ＱＡＭ（１／２）（括弧内は符号化率を表す）を選択する。【００１０】
同様に、ＭＳからのＳＩＮＲが、図８中のＢ以上かつＣ未満の値である場合、ＢＳは、図７中で記号ｂのスループット特性を示す１６ＱＡＭ（３／４）を選択し、ＭＳからのＳＩＮＲが図８中のＣ以上の値である場合、図７中で記号ｃのスループット特性を示す６４ＱＡＭ（２／３）を選択する。
このようにして、ＢＳは、ＭＳとの通信環境に応じて、適した変調方式及び符号化率を選択して、ＭＳ宛のデータ送信を行なう。【００１１】
ここで、例えば、図７及び図８においてＡ≦ＳＩＮＲ＜Ｂの範囲のＳＩＮＲを報告したＭＳのうち、当該範囲の上限値であるＢに近いＳＩＮＲを報告したＭＳに着目すると、ＳＩＮＲが少し向上するだけで、ＢＳで選択される変調方式（符号化率）が１６ＱＡＭ（１／２）から１６ＱＡＭ（３／４）となり、大幅なスループット増加を見込めることが分かる。【００１２】
同様に、図７及び図８においてＢ≦ＳＩＮＲ＜Ｃの範囲のＳＩＮＲを報告したＭＳのうち、当該範囲の上限値であるＣに近いＳＩＮＲを報告したＭＳに着目すると、ＳＩＮＲが少し向上するだけで、ＢＳで選択される変調方式（符号化率）が１６ＱＡＭ（３／４）から６４ＱＡＭ（２／３）となり、大幅なスループット増加を見込める。
そのため、前記のようにＢＳにおいて選択される変調方式（符号化率）が変更される境界近傍のＳＩＮＲを報告したＭＳに関して、当該ＭＳで計測されるＳＩＮＲを向上させることができれば、大幅なスループット増加が期待できる。【００１３】
そこで、ＭＳでの受信ＳＩＮＲはＢＳからの送信電力を増加することで向上させることができるから、ＢＳ側で上記ＭＳ宛のＤＬバーストの送信電力を増加（ブーストアップ）することが考えられる。
しかしながら、このような送信電力増加制御を実現するには、次のような課題がある。
即ち、無線フレームにおいて、あるシンボル（時間）における送信電力の周波数軸（サブキャリア周波数）方向の総和は、法規制及び送信アンプの制限等により上限が存在するため、あるシンボルにおいて、周波数軸方向のサブキャリアが全て使用されるようにバーストが割り当てられ、送信電力が前記上限まで達している場合、上述したような送信電力増加制御を行なうことは不可能である。【００１４】
本発明は、このような課題に鑑み創案されたもので、その目的の一つは、無線基地局と無線端末との間の通信のスループット向上を図ることにある。
なお、上記目的に限らず、後述する発明を実施するための最良の形態に示す各構成により導かれる作用効果であって、従来の技術によっては得られない作用効果を奏することも本発明の他の目的の一つとして位置付けることができる。
【課題を解決するための手段】
【００１５】
前記目的を達成するために、本発明では、下記の無線基地局の送信電力制御方法及び無線基地局を用いる。即ち、
（１）本発明の無線基地局の送信電力制御方法は、無線端末との間の信号品質情報に応じて、前記無線端末に対して伝送効率の異なる複数の送信方式のいずれかを選択して前記無線端末への送信を行なう無線基地局の送信電力制御方法であって、前記無線基地局は、複数の無線端末との間の信号品質情報を取得し、選択する送信方式の変わらない範囲に属する前記信号品質情報に対応する複数の無線端末のうち、前記範囲の下限を超え、かつ、前記範囲の上限よりも小さい第１の閾値未満の信号品質情報に対応する第１の無線端末の送信電力を前記送信方式の変わらない範囲で減少制御し、前記第１の閾値以上の信号品質情報に対応する第２の無線端末の送信電力をより伝送効率の良い送信方式が選択されるように増加制御する。【００１６】
（２）ここで、前記無線基地局は、前記送信方式の変わらない範囲の下限を超え、かつ、前記第１の閾値よりも小さい第２の閾値と前記第１の閾値との間の信号品質情報に対応する前記第１の無線端末の送信電力を前記減少制御する。
（３）また、前記無線基地局は、あるシンボル時間における前記第１の無線端末宛の送信信号と前記第２の無線端末宛の送信信号とを周波数多重して送信するようにしてもよい。【００１７】
（４）さらに、前記無線基地局は、あるシンボル時間における周波数軸方向の送信電力の和が、許容される送信電力を超えない範囲で、前記増加制御を行なうようにしてもよい。
（５）また、前記無線基地局は、複数の前記第２の無線端末についての前記増加制御による送信電力の増加量の和を、複数の前記第１の無線端末についての前記減少制御による送信電力の減少量の和以下に制御するようにしてもよい。【００１８】
（６）さらに、前記信号品質情報は、前記無線端末において測定され通知される受信信号品質情報であってもよい。
（７）あるいは、前記信号品質情報は、前記無線端末からの受信信号を基に測定した受信信号品質情報であってもよい。
（８）また、本発明の無線基地局は、無線端末との間の信号品質情報に応じて、前記無線端末に対して伝送効率の異なる複数の送信方式のいずれかを選択して前記無線端末への送信を行なう無線基地局であって、複数の無線端末との間の信号品質情報を取得する信号品質情報取得手段と、選択する送信方式の変わらない範囲に属する前記信号品質情報に対応する複数の無線端末のうち、前記範囲の下限を超え、かつ、前記範囲の上限よりも小さい第１の閾値未満の信号品質情報に対応する第１の無線端末の送信電力を前記送信方式の変わらない範囲で減少制御し、前記第１の閾値以上の信号品質情報に対応する第２の無線端末の送信電力をより伝送効率の良い送信方式が選択されるように増加制御する制御手段と、をそなえている。【００１９】
（９）ここで、前記制御手段は、前記送信方式の変わらない範囲の下限を超え、かつ、前記第１の閾値よりも小さい第２の閾値と前記第１の閾値との間の信号品質情報に対応する前記第１の無線端末の送信電力を前記減少制御するようにしてもよい。
（１０）また、前記制御手段は、あるシンボル時間における前記第１の無線端末宛の送信信号と前記第２の無線端末宛の送信信号とを周波数多重して送信するようにしてもよい。【００２０】
（１１）さらに、前記制御手段は、あるシンボル時間における周波数軸方向の送信電力の和が、許容される送信電力を超えない範囲で、前記増加制御を行なうようにしてもよい。
（１２）また、前記制御手段は、複数の前記第２の無線端末についての前記増加制御による送信電力の増加量の和を、複数の前記第１の無線端末についての前記減少制御による送信電力の減少量の和以下に制御するようにしてもよい。【００２１】
（１３）さらに、本発明の無線基地局の送信電力制御方法は、無線端末との間の信号品質情報が良い品質を示すほど良い送信方式を選択して前記無線端末への送信を行なう無線基地局の送信電力制御方法であって、前記無線基地局は、複数の無線端末との間の信号品質情報を取得し、選択される送信方式が変化しない範囲の信号品質情報に対応する無線端末のうち、当該信号品質情報の前記範囲での位置に応じて、少なくともいずれかの無線端末への送信方式が前記信号品質情報によって選択される送信方式よりも良い送信方式となるよう、前記各無線端末への送信電力の配分を制御する。【００２２】
（１４）また、本発明の無線基地局は、受信品質情報が所定の範囲内に収まる複数の無線端末のうち、少なくとも第１の無線端末については送信電力を増大させて前記所定の範囲を超える受信品質となるようにして、第１の送信方式でデータの送信を行ない、該複数の無線端末のうち、少なくとも第２の無線端末については送信電力を減少させて前記所定の範囲の受信品質となるようにして、前記第１の送信方式より低速な第２の送信方式でデータの送信を行なう送信部を備え、前記第１の送信方式による送信期間と、前記第２の送信方式による送信期間とが少なくとも重複する時間帯を設ける。
【発明の効果】
【００２３】
上記本発明によれば、以下に示すいずれかの効果ないし利点が得られる。
（１）無線基地局が、複数の無線端末との間の信号品質情報を取得し、選択する送信方式の変わらない範囲に属する信号品質情報に対応する複数の無線端末のうち、前記範囲の下限を超え、かつ、前記範囲の上限よりも小さい第１の閾値未満の信号品質情報に対応する第１の無線端末の送信電力を前記送信方式の変わらない範囲で減少制御し、前記第１の閾値以上の信号品質情報に対応する第２の無線端末の送信電力をより伝送効率の良い送信方式が選択されるように増加制御するので、大規模な装置変更を行なうことなく、より良い送信方式で前記無線端末との通信を実現でき、無線通信システムの伝送効率（スループット）を向上させることが可能となる。【００２４】
（２）また、無線基地局は、前記送信方式の変わらない範囲の下限を超え、かつ、前記第１の閾値よりも小さい第２の閾値と前記第１の閾値との間の信号品質情報に対応する前記第１の無線端末の送信電力を前記減少制御するので、送信電力の制御を効率的に実施することができ、より効果的に無線通信システムのスループットを向上させることができる。【００２５】
（３）さらに、無線基地局は、あるシンボル時間における前記第１の無線端末宛の送信信号と前記第２の無線端末宛の送信信号とを周波数多重して送信するようにすれば、より効率的に無線フレームのバーストを利用することができるので、無線通信システムの伝送効率を向上させることが可能となる。
（４）また、無線基地局は、あるシンボル時間における周波数軸方向の送信電力の和が、許容される送信電力を超えない範囲で、前記増加制御を行なうようにすれば、無線基地局内の装置構成を変更することなく上記効果を得ることができるので、コストの削減を図ることも可能となる。
【図面の簡単な説明】
【００２６】
【図１】本発明の一実施形態に係る無線通信システムの要部の構成を示すブロック図である。
【図２】図１に示すＢＳ（ＤＬ／ＵＬマップ生成部）の構成を示すブロック図である。
【図３】変調方式及び符号化率のスループット特性を示す図である。
【図４】受信品質情報と領域との関係を示す図である。
【図５】無線フレームのバースト割り当てを説明する図である。
【図６】図２に示すＢＳの動作の一例を説明するフローチャートである。
【図７】変調方式及び符号化率のスループット特性を示す図である。
【図８】ＡＭＣ制御の一例を説明する図である。
【符号の説明】
【００２７】
１  無線通信システム
２  無線基地局（ＢＳ）
３  無線端末（ＭＳ）
４  ネットワークインタフェース
５  ＢＳ側ＰＤＵ生成部
６  ＢＳ側送信処理部
７，１５  デュプレクサ
８，１４  アンテナ
９  ＢＳ側受信処理部
１０  ＢＳ側パケット生成部
１１  ＤＬ／ＵＬ変調方式符号化率制御部
１２  ＤＬ／ＵＬマップ生成部
１３  コネクション管理部
１６  ＭＳ側受信処理部
１７  ＭＳ側パケット生成部
１８  アプリケーション処理部
１９  ＭＳ側ＰＤＵ生成部
２０  ＭＳ側送信処理部
２１  コネクション詳細分類部
２２  受信品質予測部
２３  ブースト無しＤＬマップ生成部
２４  ブーストダウンＤＬマップ生成部
２５  ブーストアップＤＬマップ生成部
２６  余剰電力計算部
【発明を実施するための最良の形態】
【００２８】
以下、図面を参照して本発明の実施の形態を説明する。ただし、本発明は、以下に説明する実施形態に限定されず、本発明の趣旨を逸脱しない範囲で種々変形して実施できることはいうまでもない。
〔Ａ〕一実施形態の説明
図１は本発明の一実施形態に係る無線通信システムの要部の構成を示すブロック図である。この図１に示す無線通信システム１は、複数の無線端末（ＭＳ）３と、これらのＭＳ３と無線通信を行なう無線基地局（ＢＳ）２とをそなえている。ＢＳ２は、例えば、ＯＦＤＭＡ方式による無線フレームへの送信データ多重化を行ない、複数のＭＳ３宛に下りデータを送信する。一方、ＭＳ３は、ＢＳ２から受信した下りデータについての信号品質情報（受信品質情報）（ＳＩＮＲなど）を計測し、ＢＳ２宛に報告する。【００２９】
（ＭＳ３の説明）
図１に示すＭＳ３は、その要部の機能に着目すると、例えば、アンテナ１４と、デュプレクサ１５と、ＭＳ側受信処理部１６と、ＭＳ側パケット生成部１７と、アプリケーション処理部１８と、ＭＳ側ＰＤＵ生成部１９と、ＭＳ側送信処理部２０とをそなえる。
ここで、アンテナ１４は、ＢＳ２宛のＵＬの無線信号をＢＳ２へ送出する一方、ＢＳ２からのＤＬの無線信号を受信する機能を具備する。【００３０】
デュプレクサ１５は、ＭＳ側送信処理部２０からのＵＬの無線信号をアンテナ１４へ出力する一方、ＢＳ２からアンテナ１４を介して受信したＤＬ（マップ情報含む）の無線信号をＭＳ側受信処理部１６へ出力する機能を具備する。
ＭＳ側受信処理部１６は、デュプレクサ１５から受けたＢＳ２からの受信信号について所定の受信処理を施すもので、例えば、受信信号からマップ情報（ＤＬ／ＵＬマップ）を抽出し、ＤＬマップにより特定される変調方式及び符号化率等のＤＬバーストの送信方式に応じた復調方式及び復号方式で復調、復号することができる。【００３１】
また、本例のＭＳ側受信処理部１６は、ＢＳ２からの受信信号に基づいてＳＩＮＲ等の受信品質情報を定期的あるいは不定期に計測する機能も具備している。計測した受信品質情報は、前記ＵＬマップとともにＭＳ側送信処理部２０に通知され、当該ＭＳ側送信処理部２０から、前記ＵＬマップで特定されるＵＬバーストにてＢＳ２宛へ送信（報告）される。【００３２】
ＭＳ側パケット生成部１７は、ＢＳ２からの受信信号を基にＤＬデータ（ＤＬパケット）を生成するもので、生成したパケットはアプリケーション処理部１８へ送出される。
アプリケーション処理部１８は、所定のアプリケーション処理に応じたＢＳ２宛の送信データ（ＵＬデータ）を生成するもので、例えば、ＭＳ側パケット生成部１７からのＤＬデータに対する応答をＵＬデータにて生成することができる。【００３３】
ＭＳ側ＰＤＵ生成部１９は、アプリケーション処理部１８からのＵＬデータに基づいて、ＰＤＵ（Protocol
Data Unit）を生成するものである。このＰＤＵは、当該送信パケットのプロトコルが扱うデータの単位であり、例えば、ＴＣＰ／ＩＰ（Transmission Control Protocol/Internet Protocol）のＰＤＵは、「パケット」であり、ＡＴＭ（Asynchronous Transfer Mode）のＰＤＵは、「セル」である。なお、このＰＤＵの先頭には、データ本体とは別に、当該送信データのプロトコルで使用されるヘッダ等の通信制御情報が付加される。【００３４】
ＭＳ側送信処理部２０は、ＭＳ側ＰＤＵ生成部１９からのＰＤＵに所定の送信処理を施すもので、例えば、ＭＳ側受信処理部１６で抽出されたＵＬマップにより特定される符号化率、変調方式にて、当該ＰＤＵを符号化し、変調する機能を具備する。なお、本例のＭＳ側送信処理部２０は、ＭＳ側受信処理部１６で測定された受信品質情報を前記ＵＬマップで特定されるＵＬバーストにマッピングしてＢＳ２宛に送信する機能も具備している。【００３５】
本例のＭＳ３は、上述のごとく構成されることにより、ＢＳ２からの受信信号を基に、ＳＩＮＲ等の受信品質情報を求め、この受信品質情報を定期的あるいは不定期にＢＳ２に送信（報告）することができる。
（ＢＳ２の説明）
一方、図１に示すＢＳ２は、その要部の機能に着目すると、例えば、ネットワークインタフェース４と、ＢＳ側ＰＤＵ生成部５と、ＢＳ側送信処理部６と、デュプレクサ７と、アンテナ８と、ＢＳ側受信処理部９と、ＢＳ側パケット生成部１０と、ＤＬ／ＵＬ変調方式符号化率制御部１１と、ＤＬ／ＵＬマップ生成部１２と、コネクション管理部１３とをそなえる。【００３６】
ここで、アンテナ８は、ＭＳ３宛のＤＬの無線信号を送出する一方、ＭＳ３からのＵＬの無線信号を受信する機能を具備する。
デュプレクサ７は、ＢＳ側送信処理部６からのＤＬの無線信号をアンテナ８へ出力する一方、アンテナ８で受信されたＵＬの無線信号をＢＳ側受信処理部９へ出力する機能を具備する。【００３７】
ＢＳ側受信処理部（信号品質情報取得手段）９は、ＭＳ３からアンテナ８及びデュプレクサ７を介して受信した信号に各種の受信処理を施すもので、例えば、受信信号（ＵＬバースト）を、ＵＬマップによりＭＳ３に指定した変調方式、符号化率に応じた復調方式、復号方式で復調、復号してＵＬデータを得る機能と、ＵＬバースト（ＵＬデータ）に、ＭＳ３で測定された前記受信品質情報が含まれる場合に、当該情報をＤＬ／ＵＬ変調方式符号化率制御部１１に通知する機能とを具備する。なお、前記受信品質情報は、ＢＳ２側で受信したＵＬデータに基づき測定してもよく、この場合、その測定機能は当該ＢＳ側受信処理部９に具備することができる。このとき、ＢＳ２がＵＬデータに基づき測定した受信品質情報は上り方向の受信品質情報（ＢＳ２側の受信品質情報）であるが、上り方向と下り方向とで通信品質が同様である場合は、前記受信品質情報は送信側の送信電力に比例する。従って、ＢＳ２は、ＢＳ２の送信電力とＭＳ３の既知の送信電力との比に基づき、前記ＢＳ２側の受信品質情報を補正して、ＭＳ３側での受信品質情報（下り方向の受信品質情報）を算出してもよい。【００３８】
ＢＳ側パケット生成部１０は、ＢＳ側受信処理部９からのＵＬデータと、コネクション管理部１３で管理されているコネクションＩＤとに基づいて、ＩＰ（Internet Protocol）網やＡＴＭ網等の上位ネットワーク（図示省略）へ転送すべきパケットや、受信ＵＬデータに対する応答パケット等のＤＬデータを生成する機能を具備する。
ネットワークインタフェース４は、前記のＩＰ網やＡＴＭ網等の上位ネットワークとのインタフェース機能（各種プロトコル制御を行なう機能等）を具備し、ＵＬデータは上位ネットワーク側へ、上位ネットワークからのＭＳ３宛のＤＬデータやＭＳ３への応答のためのＤＬデータはＢＳ側ＰＤＵ生成部５へそれぞれ転送する。【００３９】
ＢＳ側ＰＤＵ生成部５は、ネットワークインタフェース４からのＤＬデータに基づいて、ＰＤＵを生成するものである。このＰＤＵの先頭にもデータ本体とは別に、当該ＤＬデータのプロトコルで使用されるヘッダ等の通信制御情報が付加されている。
コネクション管理部１３は、ＭＳ３との間の通信コネクション（ＣＩＤ）を管理するもので、ＢＳ側パケット生成部１０，ＢＳ側ＰＤＵ生成部５及びＤＬ／ＵＬ変調方式符号化率制御部１１は、その管理情報に基づいてそれぞれの処理（ＵＬ／ＤＬバーストのマッピング、送信処理など）を行なうものである。【００４０】
ＤＬ／ＵＬ変調方式符号化率制御部１１は、ＢＳ側受信処理部９からの受信品質情報に基づき、ＤＬ及びＵＬデータ（バースト）の変調方式及び符号化率を制御（選択）する、つまり既述のＡＭＣ制御を行なう機能を具備する。
換言すれば、本例のＤＬ／ＵＬ変調方式符号化率制御部１１は、前記受信品質情報に基づき、各ＭＳ３宛のＤＬデータの送信方式を選択する機能を具備する。【００４１】
ＤＬ／ＵＬマップ生成部１２は、ＤＬ／ＵＬ変調方式符号化率制御部１１からの制御の下、マップ情報（ＤＬマップ及びＵＬマップ）を生成するもので、本例では、後述するように、受信品質情報が一定量向上するとＢＳ２において選択される送信方式がより良い条件に変わる境界近傍の受信品質情報（以下、単に「受信ＳＩＮＲ」とも表記する）に対応するＭＳ３宛のＤＬバーストの送信電力を増加（ブーストアップ）するとともに、その増加に伴って周波数軸方向についての送信電力の上限を超えないように、他のＭＳ３宛のＤＬバーストの送信電力を減少（ブーストダウン）する制御を行なうための情報（制御対象ＤＬバーストのＣＩＤや送信電力情報など）を含むマップ情報を生成する。【００４２】
その際、好ましくは、送信電力を下げても送信方式の変わらないものと推定される他のＭＳ３宛のＤＬバーストの送信電力を減少（ブーストダウン）する制御を行なうための情報（制御対象ＤＬバーストのＣＩＤや送信電力情報など）を含むマップ情報を生成する。
なお、前記マップ情報は、前記送信電力の上限を超えない範囲での前記ブーストアップを容易にすべく、ブーストアップ対象、ブーストダウン対象及びこれら以外（つまりブーストアップもブーストダウンもしない対象）の各ＤＬバーストが前記無線フレームにおいて所定の位置となるように構築（生成）される。その詳細については図５を用いて後述する。【００４３】
ＢＳ側送信処理部６は、ＤＬ／ＵＬマップ生成部１２で生成された前記ＤＬマップに基づき、ＢＳ側ＰＤＵ生成部５からのＤＬデータに所定の送信処理を施すもので、例えば、上記ＤＬマップにより特定される符号化率、変調方式にて当該ＤＬデータを符号化し、変調する機能と、前記ＤＬマップに含まれるＣＩＤ及び前記送信電力情報に基づいてＤＬバーストの送信電力を制御（ブーストアップ又はブーストダウン）する機能とを具備している。【００４４】
加えて、本例のＢＳ側送信処理部（送信部）６は、後述するように、ＤＬ／ＵＬマップ生成部１２にて送信電力を減少制御（ブーストダウン）する対象とされたＭＳ３（第１の無線端末）宛のＤＬデータと、ＤＬ／ＵＬマップ生成部１２にて送信電力を増加（ブーストアップ）制御する対象とされたＭＳ３（第２の無線端末）宛のＤＬデータと、これら以外のＤＬデータとを、それぞれ、前記ＤＬマップにより特定される前記所定の配置となるように、前記無線フレームのＤＬバーストへマッピングする機能を具備する。【００４５】
本例の一実施形態に係るＢＳ２は、上述のごとく構成されることにより、前記受信品質情報に応じてＭＳ３宛のＤＬバーストの変調方式や符号化率等の送信方式を適応的に変更（選択）してＭＳ３への送信を行なうことができるとともに、ＢＳ２において選択される送信方式が少しの送信電力増加でより伝送効率の良い条件に変わるＭＳ３宛のＤＬバーストの送信電力を優先的にブーストアップできるようにすることで、前記より良い条件がＢＳ２において選択されるようにすることができる。したがって、ＤＬのスループットを向上することができる。【００４６】
（ＤＬ／ＵＬマップ生成部１２の詳細説明）
次に、図２〜図６を用いて上述のＤＬ／ＵＬマップ生成部１２の構成及び動作について説明する。
図２は図１に示すＤＬ／ＵＬマップ生成部１２の構成を示すブロック図である。
この図２に示すように、本例のＤＬ／ＵＬマップ生成部１２は、受信品質予測部２１を有するコネクション詳細分類部２１と、ブースト無しＤＬマップ生成部２３と、ブーストダウンＤＬマップ生成部２４と、ブーストアップＤＬマップ生成部２５と、余剰電力計算部２６とをそなえる。【００４７】
ここで、コネクション詳細分類部２１は、前記コネクション管理部１３と連携して、受信ＵＬバーストのＣＩＤ毎に、ＭＳ３から報告された受信品質情報（あるいはＢＳ２側で測定した受信品質情報）を管理する機能と、当該受信品質情報に基づいて、図８に示した選択テーブルと同等の選択テーブルにより変調方式、符号化率を選択する機能と、当該受信品質情報に基づいて、ＭＳ３（ＣＩＤ）を、例えば、図３及び図４に示すように、１６ＱＡＭ（３／４）が選択される領域（Ｂ≦ＳＩＮＲ＜Ｃ）を細分化した３つの領域、即ち、（１）Ｂ≦ＳＩＮＲ＜Ｂ１、（２）Ｂ１≦ＳＩＮＲ＜Ｂ２、（３）Ｂ２≦ＳＩＮＲ＜Ｃのいずれかの領域に分類する機能とを具備する。【００４８】
ここで、これらの領域（１），（２），（３）は、それぞれ、以下を意味する。
（１）受信品質情報が少量（所定量）劣化すると、より効率（スループット）の低い変調方式、符号化率が選択される領域
（２）受信品質情報が前記所定量変化（劣化又は向上）しても、同じ変調方式、符号化率（ここでは、変調方式１６ＱＡＭ、符号化率３／４）が選択される領域
（３）受信品質情報が少量改善すると、よりスループットの高い変調方式、符号化率（例えば、変調方式６４ＱＡＭ、符号化率２／３）が選択される領域
なお、ＭＳ３で計測される受信品質情報はＢＳ２からのＤＬバーストの送信電力を変えると変化させることができるから、前記の領域（１），（２），（３）は、以下を意味するものと捉えることもできる。【００４９】
（１）ＤＬバーストの送信電力を少量（所定量）減少すると、より効率の低い変調方式、符号化率が選択される領域
（２）ＤＬバーストの送信電力を少量増加しても、より効率の高い変調方式、符号化率が選択できず、また、送信電力を少量減少しても、より効率の低い変調方式、符号化率が選択されない領域
（３）ＤＬバーストの送信電力を少量増加することで、より効率の高い変調方式、符号化率を選択できる領域
そのため、コネクション詳細分類部２１は、図４に示すような分類（選択）テーブル（送信方式の選択情報）をテーブル形式のデータとして図示しないメモリ等に保持している。当該テーブルは、図４に示すＳＩＮＲとスループットとの関係を示す情報（理論値でも実測値でもよい）から生成することも可能である。【００５０】
なお、前記の例では、変調方式や符号化率を決定する閾値に挟まれた領域（受信品質情報がこの間に存在すれば、ある変調方式と誤り符号化率とが選択される領域）として、変調方式１６ＱＡＭ、符号化率３／４の領域について分類（細分化）を行なったが、使用可能な全て又は一部の変調方式、符号化率について同様の分類（細分化）を行なうことができる。【００５１】
また、受信品質予測部２２は、各ＭＳ３に関して所定量のブーストアップあるいはブーストダウンを実施した場合に、各ＭＳ３から報告されるＳＩＮＲがどのように変化するか（つまり、そのＳＩＮＲ変化によりどの変調方式、符号化率が選択されて、ＤＬのスループットがどの程度変化するか）を予測する機能を具備している。この予測は、例えば、無線通信システムのシミュレーションなどにより実現される。そして、その予測結果により、各ＭＳ３は、前記のどの領域（１），（２），（３）に属するかが分類されて、ブーストアップ、ブーストダウン及びそれ以外（ブースト無し）の対象のＭＳ３（ＣＩＤ）が決定される。【００５２】
ブースト無しＤＬマップ生成部２３は、前記ブースト無し対象と決定されたＭＳ３、つまりは前記領域（１）（Ｂ≦ＳＩＮＲ＜Ｂ１）に属するＭＳ３についてのＤＬマップ情報を生成するものである。
ブーストダウンＤＬマップ生成部２４は、前記ブーストダウン対象と決定されたＭＳ３、つまりは前記領域（２）（Ｂ１≦ＳＩＮＲ＜Ｂ２）に属するＭＳ３（第１の無線端末）についてのＤＬマップ情報を生成するものである。このＤＬマップ情報には、ＣＩＤ、ＤＬバースト位置、ブーストダウン後の送信電力（送信電力の減少量としてもよい）、変調方式、符号化率などの情報が含まれ、当該情報に基づいてＢＳ側送信処理部６にて該当ＤＬバーストのブーストダウン（送信電力減少）制御が実施されることになる。【００５３】
余剰電力計算部２６は、ブースト無しＤＬマップ生成部２３及びブーストダウンＤＬマップ生成部２４で生成された各ＤＬマップ情報に基づいて無線フレームにおける周波数軸方向の余剰電力を計算するものである。
ブーストアップＤＬマップ生成部２５は、前記ブーストアップ対象と決定されたＭＳ３、つまりは前記領域（３）（Ｂ２≦ＳＩＮＲ＜Ｃ）に属するＭＳ３（第２の無線端末）についてのＤＬマップ情報を生成するもので、その際、前記余剰電力を超えないように対象ＤＬバーストのブーストアップ幅、無線フレームへのマッピング位置を決定できるようになっている。ここでのＤＬマップ情報にも、ＣＩＤ、ＤＬバースト位置、ブーストアップ後の送信電力、変調方式、符号化率などの情報が含まれ、当該情報に基づいてＢＳ側送信処理部６にて該当ＤＬバーストのブーストアップ（送信電力増加）制御が実施されることになる。【００５４】
このように、ＤＬ／ＵＬマップ生成部１２は、前記領域（２）〔Ｂ１（第２の閾値）≦ＳＩＮＲ＜Ｂ２（第１の閾値）〕に属するＭＳ３（第１の無線端末）の送信電力を前記送信方式の変わらない範囲で減少制御し、前記領域（３）〔Ｂ２（第１の閾値）≦ＳＩＮＲ＜Ｃ〕に属するＭＳ３（第２の無線端末）の送信電力をより伝送効率の良い送信方式が選択されるように増加制御する制御手段としての機能を具備する。【００５５】
つまり、上記ＤＬ／ＵＬマップ生成部１２を有する本例のＢＳ２は、受信品質情報により選択される送信方式が変化しない範囲（上記の例では、Ｂ≦ＳＩＮＲ＜Ｃ）の受信品質情報に対応するＭＳ３のうち、当該受信品質情報の前記範囲での位置に応じて、少なくともいずれかのＢＳ２への送信方式が前記受信品質情報によって選択される送信方式よりも良い送信方式となるよう、前記各ＭＳ３への送信電力の配分を制御する機能を具備する。【００５６】
尚、他の例では、〔Ｂ２（第１の閾値）≦ＳＩＮＲ＜Ｃ〕に属するＭＳ３の一部はブーストアップにより送信方式をより高速な伝送方式に変更させ、〔Ｂ２（第１の閾値）≦ＳＩＮＲ＜Ｃ〕に属するＭＳ３の他の一部はブーストダウンさせる。好ましくは、このブーストダウンにより送信方式が変更されない程度にブーストダウンさせる。
もちろん、１つのＭＳ３のブーストアップ（Ｌ＞０）に対して、１つのＭＳ３のブーストダウン（−Ｌ）を対応させてもよいが、１つのＭＳ３のブーストアップ（Ｌ）に対して、複数（Ｍ：Ｍは２以上の自然数）のＭＳ３のブーストダウン（Ｎｉ：ｉ＝１〜Ｍ）を対応させて、Ｌ≦ΣＮｉを実現することもできる。【００５７】
ここで、図５を用いて、ブースト無しＤＬマップ生成部２３，ブーストダウンＤＬマップ生成部２４及びブーストアップＤＬマップ生成部２５でのマップ情報（ＤＬマップ情報）生成動作について説明する。図５は無線フレームのバースト割り当てを説明する図である。
この図５に示すように、無線通信システム１に用いる無線フレームをＯＦＤＭＡ方式に準拠した無線フレームとした場合、当該無線フレームには、ヘッダ領域と、ＤＬサブフレーム（ＤＬ信号領域）と、ＵＬサブフレーム（ＵＬ信号領域）とが時間多重され、ヘッダ領域には、プリアンブル信号やＦＣＨ、ＤＬ／ＵＬマップがマッピングされ、ＤＬサブフレームには、時間軸（シンボル時間）方向と周波数軸（サブチャネル周波数）方向の２次元領域において、ＵＬ／ＤＬマップ、１以上のＤＬバーストが多重され、ＵＬサブフレームには、１以上のＵＬバーストが多重される。【００５８】
そして、まず、ブースト無しＤＬマップ生成部２３は、ブースト無し対象と決定されたＭＳ３、つまりは前記領域（１）（Ｂ≦ＳＩＮＲ＜Ｂ１）に属するＭＳ３宛のＤＬバースト＃１〜＃４が、図５に示すごとく、それぞれ時間軸（シンボル）方向のスロットよりも周波数軸（サブチャネル）方向のスロットが多い縦長のバーストとして時間軸方向に積み重なるようにマッピング（時間多重）するバースト割当情報を、ブースト無しＤＬマップ情報として生成する。【００５９】
好ましくは、周波数方向にデータを順に配置していき、周波数方向にデータを積み込めなくなると、次の時間において、同様に周波数方向にデータを順に配置する。
次に、ブーストダウンＤＬマップ生成部２４は、ブーストダウン対象のＭＳ３と決定されたＭＳ３、つまりは前記領域（２）（Ｂ１≦ＳＩＮＲ＜Ｂ２）に属するＭＳ３宛のＤＬバースト＃５〜＃１０が、図４に示すごとく、残りのＤＬ信号領域（空き領域）において、それぞれ周波数軸方向のスロットよりも時間軸方向のスロットが多い横長のバーストとして周波数軸方向に積み重なるようにマッピング（周波数多重）するバースト割当情報をブーストダウンＤＬマップ情報として生成する。【００６０】
好ましくは、時間方向にデータを順に配置していき、所定時間幅の配置が完了した場合に、次の周波数について、同様に時間方向にデータを順に配置する。
その際、ブーストダウンＤＬマップ生成部２４は、ブーストダウン対象のＤＬバースト＃５〜＃１０について、選択される変調方式、符号化率が変化しない範囲で送信電力をブーストダウンできるか否かを判定しながら、ＤＬマップ情報に含める送信電力情報のブーストダウンを行なう。【００６１】
次いで、ブーストアップＤＬマップ生成部２５は、ブーストアップ対象のＭＳ３と決定されたＭＳ３、つまりは前記領域（３）（Ｂ２≦ＳＩＮＲ＜Ｃ）に属するＭＳ３宛のＤＬバースト＃１１〜＃１６が、図４に示すごとく、残りのＤＬ信号領域（空き領域）において、それぞれ横長のバーストとして周波数軸方向に積み重なるようにマッピング（周波数多重）するバースト割当情報をブーストアップＤＬマップ情報として生成する。【００６２】
好ましくは、時間方向にデータ順に配置していき、所定時間幅の配置が完了した場合に、次の周波数について、同様に時間方向にデータを順に配置する。
その際、ブーストアップＤＬマップ生成部２５は、既述のとおり、余剰電力計算部２６により計算された余剰電力に基づき、ブーストアップ対象のＤＬバースト＃１１〜＃１６について、より効率（スループット）の高い変調方式、符号化率が選択可能となるまで当該送信電力をブーストアップできるか否かを判定しながら、全ての時間（シンボル）における送信電力が所定の上限値を超えない範囲でＤＬマップ情報に含める送信電力情報をブーストアップする。【００６３】
このように、各マップ生成部２３〜２５は、あるシンボル時間における前記第１のＭＳ３宛の送信信号と前記第２のＭＳ３宛の送信信号とを周波数多重して送信するためのマップを生成する機能と、あるシンボル時間における周波数軸方向の送信電力の和が、許容される送信電力を超えない範囲で、前記増加制御を行なう機能と、複数の前記第２のＭＳ３についての前記増加制御による送信電力の増加量の和を、複数の前記第１のＭＳ３についての前記減少制御による送信電力の減少量の和以下に制御する機能とを具備する。【００６４】
以上のようにして、ブーストアップ及びブーストダウン対象（つまりは、送信電力制御対象）のＭＳ３宛のＤＬバースト＃５〜＃１０，＃１１〜＃１６を横長のバーストとして周波数軸方向に多重することで、同一時間（シンボル）での送信電力の上限値を超えない範囲での送信電力制御が容易となる。換言すれば、本例のＢＳ２は、ブーストアップ及びブーストダウン対象のＭＳ３に対して、同一時間（シンボル）でのＤＬバーストの送信電力の配分を、ブーストアップ対象のＭＳ３の方が高くなるように制御しているということができる。【００６５】
尚、領域（３）のバースト＃１１についてブーストアップする場合、バースト＃１２、バースト＃１３についてブーストダウンすることで、送信電力を抑えることもできる。この場合、領域（２）も領域（１）と同様の配置方法にしてもよい。
即ち、或るバーストについてブーストアップする場合、当該バーストと時間的に一部又は全部が重複するバーストについてブーストダウンすれば、その重複する時間帯での送信電力を抑えることができる。例えば図５において、バースト＃１２をブーストアップする場合、当該バースト＃１２と時間的に一部又は全部が重複するバーストはバースト＃７，＃１３を除く各バーストであるから、これらのうちのいずれかのバーストをブーストダウン対象とすることができる。【００６６】
換言すれば、本例のＢＳ２は、ＳＩＮＲ（受信品質情報）が所定の範囲内（例えば、Ｂ≦ＳＩＮＲ＜Ｃ）に収まる複数のＭＳ３のうち、少なくとも第１のＭＳ３については送信電力を増大させて前記所定の範囲を超える受信品質となるようにして、第１の送信方式（例えば、６４ＱＡＭ（２／３））でデータの送信を行ない、前記複数のＭＳ３のうち、少なくとも第２のＭＳ３については送信電力を減少させて前記所定の範囲の受信品質となるようにして、前記第１の送信方式より低速な第２の送信方式（例えば、１６ＱＡＭ（３／４））でデータの送信を行なう送信部６，１１，１２，１３を備え、図５に示す無線フレームにおいて、前記第１の送信方式（６４ＱＡＭ（２／３））での送信期間（シンボル時間）と、前記第２の送信方式（例えば、１６ＱＡＭ（３／４））での送信期間（シンボル時間）とが少なくとも重複する時間帯を設けているということができる。【００６７】
したがって、少なくとも前記重複する時間帯に関して送信電力が既述のように増加、減少されることで送信電力の配分制御が柔軟かつ容易に可能となり、送信電力を抑えながら、ＳＩＮＲが前記所定の範囲内を超えるＭＳ３を生じさせることができる。結果として、無線通信システム１の伝送効率（スループット）を向上させることが可能となる。
次に、図６を用いて上述のＢＳ２の動作について説明する。図６はＢＳ２の動作の一例を説明するフローチャートである。【００６８】
この図６に示すように、まず、ＢＳ側受信処理部９が、ＭＳ３からアンテナ８及びデュプレクサ７を介して受信した信号から受信品質情報を得て（ステップＳ１参照）、当該情報をＤＬ／ＵＬ変調方式符号化率制御部１１に通知する。
ＤＬ／ＵＬ変調方式符号化率制御部１１は、ＢＳ側受信処理部９からのＭＳ３から受信した受信品質情報及びＢＳ２の受信品質情報に基づき、ＤＬ及びＵＬデータ（バースト）の変調方式及び符号化率を制御（選択）する（ステップＳ２参照）。【００６９】
次いで、ＤＬ／ＵＬマップ生成部１２（コネクション詳細分類部２１、受信品質予測部２２）が、各ＭＳ３に関して所定量のブーストアップあるいはブーストダウンを実施した場合に、各ＭＳ３から報告されるＳＩＮＲがどのように変化するかを予測し（ステップＳ３及びＳ４参照）、その予測結果に基づき、各ＭＳ３とのコネクションについて、ブーストアップ対象のＭＳ３、ブーストダウン対象のＭＳ３及びこれら以外のＭＳ３（つまりブースト無し対象のＭＳ３）に分類する（ステップＳ５〜Ｓ７参照）。【００７０】
ここで、ＤＬ／ＵＬマップ生成部１２は、全てのコネクションについて上記分類を実施したかどうかを判定（確認）し（ステップＳ８参照）、まだ分類していないコネクションがある場合（ステップＳ８のＮｏルート参照）、上記ステップＳ２〜Ｓ７までの処理を再度行なう一方、全てのコネクションについて分類が終了したと判定した場合（ステップＳ８のＹｅｓルート参照）、ブースト無しＤＬマップ生成部２３が、ブースト無し対象コネクションであると決定されたＭＳ３、つまりは前記領域（１）（Ｂ≦ＳＩＮＲ＜Ｂ１）に属するＭＳ３についてのＤＬマップ情報を生成し、ブーストダウンＤＬマップ生成部２４が、ブーストダウン対象と決定されたＭＳ３、つまりは前記領域（２）（Ｂ１≦ＳＩＮＲ＜Ｂ２）に属するＭＳ３（第１の無線端末）についてのＤＬマップ情報を生成する（ステップＳ９参照）。ここでのＤＬマップ情報には、ＣＩＤ、ＤＬバースト位置、上記ステップ２において選択された変調方式、符号化率、ブーストダウン後の送信電力、などの情報が含まれ、当該情報に基づいてＢＳ側送信処理部６にて該当ＤＬバーストのブーストダウン（送信電力減少）制御が実施される。【００７１】
そして、余剰電力計算部２６が、ブースト無しＤＬマップ生成部２３及びブーストダウンＤＬマップ生成部２４で生成された各ＤＬマップ情報に基づいて無線フレームにおける周波数軸方向の余剰電力を計算し（ステップＳ１０参照）、ブーストアップＤＬマップ生成部２５が、ブーストアップ対象と決定されたＭＳ３、つまりは前記領域（３）（Ｂ２≦ＳＩＮＲ＜Ｃ）に属するＭＳ３（第２の無線端末）についてのＤＬマップ情報を生成する（ステップＳ１１参照）。ここでのＤＬマップ情報にも、ＣＩＤ、ＤＬバースト位置、上記ステップ２において選択された変調方式、符号化率、ブーストアップ後の送信電力などの情報が含まれ、当該情報に基づいてＢＳ側送信処理部６にて該当ＤＬバーストのブーストアップ（送信電力増加）制御が実施される。【００７２】
ここで、ブーストアップＤＬマップ生成部２５は、前記ブーストアップ対象と決定されたＭＳ３についてのＤＬマップ情報を生成する際、余剰電力計算部２６での余剰電力計算結果に基づき、無線フレームにおける周波数軸方向の余剰電力に空き（余裕）があるか否かを判定し（ステップＳ１２参照）、まだ余剰電力があると判定した場合（ステップＳ１２のＹｅｓルート参照）、再度ステップＳ１１にて、ブーストアップ対象のＤＬマップ情報を生成する一方、余剰電力がないと判定した場合（ステップＳ１２のＮｏルート参照）、ＢＳ側ＰＤＵ生成部５がＰＤＵを生成する（ステップＳ１３参照）。【００７３】
次いで、ＢＳ側送信処理部６が、ブーストダウン対象のＭＳ３（第１の無線端末）宛のＤＬデータと、ブーストアップ対象のＭＳ３（第２の無線端末）宛のＤＬデータと、これら以外のＤＬデータとを、上述のように、無線フレームのＤＬバーストへそれぞれマッピングし、所定の無線送信処理（変調、符号化など）を施して、ＭＳ３宛に送信する（ステップＳ１４参照）。【００７４】
そして、ＢＳ２は、上記送信電力制御の後にＭＳ３から報告される受信品質情報に応じて、ＡＭＣ制御を実施する（ステップＳ１及びＳ２参照）。
以上のように、図６に示した処理手順により、ＢＳ２は、大規模な装置変更を行なうことなく、より良い送信方式でＭＳ３との通信を実現でき、その結果、無線通信システム１の伝送効率（スループット）を向上させることが可能となる。【００７５】
また、ＢＳ２は、あるシンボル時間における周波数軸方向の送信電力の和が、許容される送信電力を超えない範囲で、前記増加制御を行なうので、ＢＳ２内の装置構成を大幅に変更することなく上記効果を得ることができ、コストの削減を図ることが可能となる。
〔Ｂ〕その他
以上、本発明の実施形態について詳細に説明したが、本発明は上記の実施形態に限定されるものではなく、本発明の趣旨を逸脱しない範囲において任意に変形して実施することができる。【００７６】
例えば、上記実施形態では、図３にも示すように、変調方式１６ＱＡＭ、符号化率３／４の領域（Ｂ≦ＳＩＮＲ＜Ｃ）に属するＭＳ３について、送信電力制御を行なったが、もちろん他の領域（例えば、Ａ≦ＳＩＮＲ＜Ｂ、Ｂ≦ＳＩＮＲ＜Ｃ）に属するＭＳ３についても同様の送信電力制御を行なうことが可能である。
また、上記実施形態では、受信品質予測部２２が、各ＭＳ３に関して所定量のブーストアップあるいはブーストダウンを実施した場合に、各ＭＳ３から報告されるＳＩＮＲがどのように変化するかを予測し、この予測結果に基づいて、各ＭＳ３は、図３中のどの領域に属するかが分類されるが、より簡単な分類方法を採用することもできる。例えば、図３中のＢからＣの範囲の領域を３等分し、各ＭＳ３から報告されるＳＩＮＲがどの領域に属するかに応じて上記分類を行なうことができる。このようにすれば、受信品質予測部２２での予測処理を省略することができるので、ＢＳ２での処理を簡便化して動作を高速化することが可能となる。【００７７】
さらに、上記実施形態では、ＢＳ２がブーストアップ対象のＭＳ３宛のＤＬバーストの送信電力を優先的にブーストアップした後に、ＭＳ３から報告されたＳＩＮＲにより、より効率の良い送信方式を選択しているが、例えば、ＢＳ２がブーストアップあるいはブーストダウンした後に、ＭＳ３からのＳＩＮＲ報告を待たずに、ＭＳ３の送信方式を選択してもよい。例えば、ＢＳ２がブーストアップ対象のＭＳ３について、自発的にＭＳ３の送信方式をより効率の良い送信方式とすれば、より迅速にＭＳ３の送信方式を選択（変更）することができるので、無線通信システム１全体のスループットを効率的に向上させることが可能となる。【００７８】
また、本発明は、上述のようなＷｉＭＡＸシステムに限らず適用できる。例えば、ＢＳ２がＭＳ３の送信電力を制御し、当該ＭＳ３の送信方式を選択して送信を行なうような通信システムに適用することができる。
【産業上の利用可能性】
【００７９】
以上詳述したように、本発明によれば、無線通信システム全体の伝送効率（スループット）を向上させることができるので、無線通信技術分野、例えば、ＡＭＣ機能を具備する移動無線通信技術分野に極めて有用と考えられる。
【図１】
2009019751.tif 000003
【図２】
2009019751.tif 000004
【図３】
2009019751.tif 000005
【図４】
2009019751.tif 000006
【図５】
2009019751.tif 000007
【図６】
2009019751.tif 000008
【図７】
2009019751.tif 000009
【図８】
2009019751.tif 000010
【国際調査報告】
2009019751.tif 000011
2009019751.tif 000012
2009019751.tif 000013
2009019751.tif 000014